(57)【要約】【課題】  透明な非表示領域を透して遊技役物を目視させる液晶表示装置を備え、製造プロセスを高度化等することなく表示領域と非表示領域との境界部分を鮮明にする等して表示品質を確保する。【解決手段】  液晶表示装置（ＬＣＤ）に形成された表示領域（ＤＳＰ）に密着される偏光板（４０ａ、４０ｂ）の一部を非表示領域（ＳＰＣ）の外縁より僅かに進出させて配置し、当該偏光板がラップする非表示領域の周縁に枠状に樹脂成型した遮光部材（５０）を設ける。これにより、表示領域と非表示領域との境界を鮮明にし、視覚的な演出効果を高める。【選択図】  図７
2007014383.tif 000002
【特許請求の範囲】
【請求項１】
画像を表示する表示領域の一部に透明な非表示領域が形成された液晶表示装置と、当該液晶表示装置の背面側に設けられ前記非表示領域を透して正面側の遊技者に目視可能とされる遊技又は演出役物とを備える遊技機であって、
前記液晶表示装置に形成された前記表示領域に密着される偏光板の一部を前記非表示領域の外縁より所定量だけ内方に進出して配置し、
前記非表示領域に進出する前記偏光板の一部を覆うように遮光部材を設けたことを特徴とする遊技機。
【請求項２】
前記液晶表示装置の前記非表示領域内に前記偏光板が開口して透明な透過領域が形成され、前記遮光部材は、当該透過領域の外縁に倣った枠形状に成型してなることを特徴とする請求項１に記載の遊技機。
【発明の詳細な説明】
【技術分野】
【０００１】
本発明は、例えばスロットマシン等の遊技機に関し、特に、演出表示を行う液晶表示装置を備えた遊技機に関する。
【背景技術】
【０００２】
遊技者にゲームをより楽しんでもらうため、演出表示を行う液晶表示装置を備えた遊技機が知られている。
【０００３】
例えば、遊技者の操作に従って、図柄の描かれた複数個の回胴リールを回転及び停止させ、揃った図柄の配列に応じて遊技メダルの払い出し等を行うスロットマシンにあっては、前面パネルの上側等に小型の液晶表示装置を設けたもの（例えば、特許文献１参照）から、近時、前面パネルのほぼ全領域に大型の液晶表示装置を設けたものへと展開が図られ、表示領域の拡大化によって視覚効果の高い演出表示を行うスロットマシンが遊技場等において出現している。
【０００４】
すなわち、特許文献１に開示されているいわゆる旧来の一般的なスロットマシンにあっては、複数個の回胴リールを収容している筐体に、前面パネルを有する前扉が取り付けられ、前面パネルの略中央領域に形成されている透明な透過窓を介して、遊技者が筐体内の複数個の回胴リールの動きや図柄を視認することが可能となっている。そして、前面パネルに化粧パネルとしての機能を発揮させ、更に透過窓の邪魔にならない部分、すなわち前面パネルの上側等に、演出表示を行う小型の液晶表示装置が設けられている。
【０００５】
これに対し、近時、遊技場等において出現している大型の液晶表示装置を備えたスロットマシンにあっては、大きな表示領域を有する透過型の液晶表示装置が前面パネルの略全面に取り付けられており、表示領域の拡大化に伴って、より臨場感等の得られる演出表示を行うことを可能にしている。
【０００６】
すなわち、前面パネルに取り付けた大型の液晶表示装置を介して筐体内の回胴リールを目視させるために、従来、表示窓として形成される領域に画像を表示させない透明な非表示領域（透過領域）を形成すると共に、その領域のみカラーフィルタやブラックマトリクス等を除去して光の透過率を向上させた透過型の液晶表示装置が普及してきている。
【０００７】
【特許文献１】特開２００３−２２０１７８号公報
【発明の開示】
【発明が解決しようとする課題】
【０００８】
ところで、上述のスロットマシンに設けられている透過型の液晶表示装置にあっては、回胴リールの表示窓を形成する透過領域の光透過率を更に高めるため、カラーフィルタ等の他にも液晶パネル本体に密着される偏光板も透過領域の部分から除去することが要求されている。
【０００９】
この場合、液晶パネル本体の非表示領域と偏光板の開口部（除去部）との配置関係に僅かでも誤差が生じると、表示領域の端部では画像途切れ（本来の画像が表示されない現象）や光漏れが生じ、また非表示領域（透過領域）の端部では半透明となる等の問題が生じてしまう。
【００１０】
ところが、現実には、液晶パネル本体の表示領域と偏光板との端部同士を正確に一致させて位置決めすることは、これら構成部品の寸法誤差や組み立ての際の誤差等の製造工程上の種々の理由から極めて困難であり、演出表示装置の表示及び透過性能を向上させるために表示領域と非表示領域との境界部分を鮮明にすることが技術的な課題としてあった。
【００１１】
本発明は、こうした従来の問題に鑑みてなされたものであり、透明な非表示領域を透して遊技役物等を目視させる液晶表示装置を備え、当該液晶表示装置の製造プロセスを高度化等することなく表示領域と非表示領域との境界部分を鮮明にして、視覚的な演出効果を高めた遊技機を提供することを目的としている。
【課題を解決するための手段】
【００１２】
上述した課題を解決するため、請求項１に記載の発明は、画像を表示する表示領域の一部に透明な非表示領域が形成された液晶表示装置と、当該液晶表示装置の背面側に設けられ前記非表示領域を透して正面側の遊技者に目視可能とされる遊技又は演出役物とを備える遊技機であって、前記液晶表示装置に形成された前記表示領域に密着される偏光板の一部を前記非表示領域の外縁より所定量だけ内方に進出して配置し、前記非表示領域に進出する前記偏光板の一部を覆うように遮光部材を設けたことを特徴とする。
【００１３】
請求項１に記載の遊技機によれば、液晶表示装置に形成された表示領域に密着配置した偏光板の一部が非表示領域に進出する領域に遮光部材を設けたので、表示領域と非表示領域の境界付近に生じる半透明な領域が視覚的に隠され、当該境界を鮮明に区分けすることができる。
【００１４】
また、液晶表示装置の表示領域に密着される偏光板の一部を非表示領域の外縁より所定量だけ内方に進出して配置するので、当該偏光板の位置決め誤差が吸収され、非表示領域との境界付近における画像途切れ等の不具合を解消する。
【００１５】
請求項２に記載の発明は、請求項１に記載の遊技機であって、前記液晶表示装置の前記非表示領域内に前記偏光板が開口して透明な透過領域が形成され、前記遮光部材は、当該透過領域の外縁に倣った枠形状に成型してなることを特徴とする。
【００１６】
請求項２に記載の遊技機によれば、液晶表示装置の表示領域に密着配置した偏光板が開口して透過領域が形成され、枠形状に成型した遮光部材が当該透過領域の外縁に設けられる。これにより、表示領域と透過領域（非表示領域）の境界付近に生じる半透明な領域が視覚的に隠され、当該境界を鮮明に区分けすることができる。
【発明の効果】
【００１７】
本発明の遊技機によれば、液晶表示装置の背面側に設けた遊技役物等を当該液晶表示装置の透明な非表示領域を透して目視可能とし、液晶表示装置の表示領域に密着配置した偏光板の一部が非表示領域に進出する領域に遮光部材を設けた。これにより、表示領域と非表示領域の境界付近に生じる半透明な領域が視覚的に隠され、当該境界を鮮明に区分けすることができる。
【００１８】
また、液晶表示装置の製造プロセスを高度化・複雑化等することなく簡素な構成で高い光透過率の透過領域を形成するとともに、表示領域の画像品質も確保することができる。したがって、液晶表示装置を使った遊技機における視覚的な演出効果を高めることができる。
【発明を実施するための最良の形態】
【００１９】
以下、本発明の遊技機に係る好適な実施の形態として、パチンコホール等の遊技施設に設置されるスロットマシンについて、図面を参照ながら説明する。ここで、図１は、本実施形態のスロットマシンの外部構造を表した斜視図、図２は、本スロットマシンの前扉を開いて内部構造を表した図である。図３乃至図７は、本スロットマシンに設けられている表示パネルユニットの構造を表した図である。
【００２０】
まず、図１及び図２に基づいて、本実施形態のスロットマシン１の全体的な構造を説明すると、このスロットマシン１は、筐体２と、筐体２の前端部に開閉自在に取り付けられて遊技者に面する前扉３とを備えて構成されている。
【００２１】
前扉３には、図１に示すように、略中央部分に操作パネル部４が設けられ、操作パネル部４の上方に前面パネル部５、操作パネル部４の下方に遊技メダルを払い出すためのメダル受け皿６が設けられている。
【００２２】
操作パネル部４には、ベットボタン４ａ、メダル投入部４ｂ、スタートレバー４ｃ及び３個のストップボタン４ｄが設けられている。
【００２３】
前面パネル部５の上方には更に、クレジット枚数、ベット（ＢＥＴ）枚数、及びメダルの払い出し状況等を表示するための遊技状態表示部７が設けられている。
【００２４】
前面パネル部５には、当該前面パネル部５の略全面を外部から保護する長方形状の透明アクリル板から成る中パネル板５ａが組み付けられ、当該中パネル板５ａの背面側に大面積の表示領域を有する後述の液晶表示装置としての透過型の液晶表示パネルＬＣＤが組み付けられ、液晶表示パネルＬＣＤの表示領域が中パネル板５ａを介して遊技者側に面している。
【００２５】
更に、詳細については後述するが、遊技者は中パネル板５ａの略中央部分に設けられている透過領域５ｂを介して、背面側に設けられている回胴リール装置１７を見ることが可能となっている。
【００２６】
前扉３の背面側には、図２に示すように、液晶表示パネルＬＣＤが設けられたバケット形状の表示パネルユニット８が上述の中パネル板５ａに対向して取り付けられる他、表示パネルユニット８の下方に、メダルセレクタ９と、フローシュート１０、払出メダル案内部１１、及び演出用スピーカ１２ａ、１２ｂが取り付けられている。
【００２７】
ここで、表示パネルユニット８には、上述の透過領域５ｂに背面側から対向する長方形状の開口穴１３が形成されており、更に、液晶表示パネルＬＣＤの表示領域が中パネル板５ａ側に対向するようにして、表示パネルユニット８に対して液晶表示パネルＬＣＤが設けられている。
【００２８】
更に、表示パネルユニット８の所定部分には、回胴リール１７ａ、１７ｂ、１７ｃの外周面を照明する冷極管１４と、冷極管１４を駆動するためのインバータ回路基板１５と、主制御基板１８からの指示に従って図１の遊技状態表示部７と液晶表示パネルＬＣＤに画像データを供給して演出表示を行わせるサブ制御基板１６とが設けられている。
【００２９】
筐体２内には、横３列の回胴リール１７ａ、１７ｂ、１７ｃを備えた回胴リール装置１７が設けられ、回胴リール装置１７の上方に、ゲームの進行と演出表示の制御を含む本スロットマシン１の動作全体を制御する主制御基板１８が設けられ、回胴リール装置１７の下方に、メダルホッパー１９とオーバーフロータンク２０及び電源装置２１が設けられている。
【００３０】
また、メダルホッパー１９の側端部に、払出メダル案内部１１側へメダルを出力するメダル出力孔１９ａが設けられ、筐体２の前端部に、前扉３と係合する錠受け２ａ、２ｂが設けられている。
【００３１】
回胴リール装置１７は、前扉３が筐体２側に閉じられた際、横３列の回胴リール１７ａ、１７ｂ、１７ｃが表示パネルユニット８の開口穴１３に対向するように位置合わせして筐体２内に取り付けられている。
【００３２】
主制御基板１８は、図示していない配線ケーブルを介して、サブ制御基板１６、メダルセレクタ９、メダルホッパー１９、電源装置２１、操作パネル部４に設けられているベットボタン４ａとメダル投入部４ｂとスタートレバー４ｃ及びストップボタン４ｄ等に夫々電気的に接続されている。
【００３３】
次に、図３及び図４を参照して、前扉３の背面側に取り付けられている、液晶表示パネルＬＣＤを有する表示パネルユニット８の構造を説明する。
【００３４】
図３は、液晶表示パネルＬＣＤの表示面側から見た場合の表示パネルユニット８の構造を表した分解斜視図、図４は、表示パネルユニット８の構造を背面側から見た場合の分解斜視図である。なお、図４では、便宜上、液晶表示パネルＬＣＤが省略して示されている。
【００３５】
図３において、表示パネルユニット８は、硬質プラスチックで成型された矩形状の支持フレーム２２と、支持フレーム２２の前端部にねじ止め等によって固定された液晶表示パネルＬＣＤと、支持フレーム２２の上端部に着脱自在に取り付けられたサブ制御基板１６とを備えて構成されている。
【００３６】
支持フレーム２２の上側部には、背面側に傾斜した斜面を有する凹形状の収容室２３が一体成型されており、収容室２３には、液晶表示パネルＬＣＤを駆動する駆動回路基板２４が収容されると共に、図示しない配線ケーブルを介して液晶表示パネルＬＣＤと駆動回路基板２４とが接続され、且つ駆動回路基板２４とサブ制御基板１６とが接続されている。
【００３７】
図１に示した前面パネル部５の背面には、中パネル板５ａが取り付けられた硬質プラスチックから成る矩形状の支持枠２５がねじ止め等によって強固に固着されている。更に、支持枠２５の上側部に一体成型されている係合突起２５ａ、２５ｂと支持フレーム２２に形成されている係合溝２２ａ、２２ｂとが係合され、更に支持フレーム２２の下端部と支持枠２５の下端部とがねじ止め固定されることにより、液晶表示パネルＬＣＤを備えた支持フレーム２２が支持枠２５の背面側に着脱可能に固着されている。
【００３８】
つまり、係合突起２５ａ、２５ｂと係合溝２２ａ、２２ｂとが着脱可能な蝶番構造と成っており、係合突起２５ａ、２５ｂに係合溝２２ａ、２２ｂを嵌め合わせ、更に支持フレーム２２の下端部と支持枠２５の下端部とをねじ止め固定することにより、表示パネルユニット８が支持フレーム２２に掛けた状態で固着されている。
【００３９】
また、支持枠２５は、液晶表示パネルＬＣＤの外郭領域と略同じ大きさの矩形状の開口２５ｃを有し、当該開口２５ｃを介して、液晶表示パネルＬＣＤの表示領域ＤＳＰが中パネル板５ａ側に対向し且つ遊技者側に面するようになっている。
【００４０】
更に、支持フレーム２２には、図２に示した矩形状の開口穴１３が形成されている。すなわち、図４を参照して開口穴１３の構造を解りやすく述べると、支持フレーム２２は、液晶表示パネルＬＣＤが固着される矩形状の第１フレーム２２ａａと、第１フレーム２２ａａの背面に一体に組み付けらた矩形状の第２フレーム２２ｂｂとを備えて構成されており、第１フレーム２２ａａと第２フレーム２２ｂｂとを一体に組み付けることにより、第１フレーム２２ａａに形成されている矩形状の開口１３ａと第２フレーム２２ｂｂに形成されている矩形状の開口１３ｂとが連通した開口穴１３が形成されている。
【００４１】
また、第２フレーム２２ｂｂの上側部には、ブラケット（連結部材）２６ａ、２６ｂが固定されており、該ブラケット２６ａ、２６ｂ上にサブ制御基板１６が着脱可能に取り付けられ、更に、第２フレーム２２ｂｂの開口１３ｂより上方の背面部に、陰極管１４とインバータ回路基板１５が取り付けられている。
【００４２】
次に、図５乃至図７を参照して、液晶表示パネルＬＣＤの構造を説明する。
【００４３】
なお、図５は液晶表示パネルＬＣＤの分解斜視図、図６（ａ）はスロットマシン１に取り付けられた液晶表示パネルＬＣＤの縦断面構造を模式的に表した図、図６（ｂ）は液晶表示パネルＬＣＤに設けられている液晶パネル本体の構造を模式的に表した縦断面図、図７（ａ）は液晶パネル本体の正面図、図７（ｂ）は液晶パネル本体の表示面側から見た場合の外観斜視図である。
【００４４】
まず、図５及び図６において、液晶表示パネルＬＣＤは、遊技者側に面する矩形状の前フレーム２７と背面側の後フレーム２８とを備え、前フレーム２７と後フレーム２８とを組み合わせることによって液晶表示パネルＬＣＤの筐体が構成されている。
【００４５】
前フレーム２７には、表示領域と略同形の矩形状の開口２７ａが形成されており、該開口２７ａの上側内壁と下側内壁に、バックライト用の光を導光板３５に入射する光源としての陰極管ＬＰ１、ＬＰ２が設けられている。
【００４６】
後フレーム２８には、支持フレーム２２に形成されている開口穴１３と対向する略同じ大きさの矩形状の開口２８ａが形成され、該開口２８ａを密閉する無色透明な保護シート（薄いプラスチックシート）２９が後フレーム２８の背面に接着されている。
【００４７】
更に、前フレーム２７と後フレーム２８とが組み合わされた上述の筐体内には、前フレーム２７側から順に、液晶パネル本体３０、透明な紫外線カットシート（ＵＶカットシート）３１、第１の光拡散シート３２、レンズシート３３、第２の光拡散シート３４、硬質プラスチックから成る導光板３５、半透明な第１、第２の反射シート３６、３７が積層されて収容され、これら各構成要素３０、３１、３２、３３、３４、３５、３６、３７は、全て前フレーム２７及び後フレーム２８と略同じ矩形状に形成されている。
【００４８】
ここで、液晶パネル本体３０には、支持フレーム２２に形成されている開口穴１３及び後フレーム２８に形成されている開口２８ａと対向する略同じ大きさの矩形状の透過部ＳＰＣが透明な領域として形成されている。
【００４９】
更に、紫外線カットシート３１と、第１の光拡散シート３２、レンズシート３３、第２の光拡散シート３４、導光板３５、第１、第２の反射シート３６、３７には、上述の支持フレーム２２の開口穴１３と後フレーム２８の開口２８ａ及び液晶パネル本体３０の透過部ＳＰＣに対向する略同じ大きさの矩形状の開口３１ａ、３２ａ、３３ａ、３４ａ、３５ａ、３６ａ、３７ａが形成されている。
【００５０】
液晶パネル本体３０は、図６（ｂ）の模式的な断面図に示すように、前方に面して相対向する一対の透明ガラス基板３８ａ、３８ｂの間に液晶３９が充填されて密封さており、透明ガラス基板３８ａの液晶３９側の面に、３原色カラーフィルタ（図示略）と、ＩＴＯ（Indium Tin Oxide）から成る透明電極群（図示略）が形成され、透明ガラス基板３８ｂの液晶３９側の面にコモン電極としての透明電極群（図示略）が形成されている。また、透明ガラス基板３８ａ、３８ｂの外側の各面に、相互に偏光方向が直交する偏光板４０ａ、４０ｂが密着して配置されている。
【００５１】
そして、透明ガラス基板３８ａに形成されている透明電極群と透明ガラス基板３８ｂに形成されている透明電極群との間に駆動回路基板２４から画像形成用の駆動信号が印加され、液晶３９内に生じる電気光学的効果によって生じる光透過率の変化により演出画像が形成される。
【００５２】
上述した透明な非表示領域として形成される透過部ＳＰＣ内には液晶が充填されておらず、枠体４０の外壁と透明ガラス基板３８ａ、３８ｂとで画成された外側領域内に液晶３９が充填されている。このため、透明ガラス基板３８ａに形成されている透明電極群と透明ガラス基板３８ｂに形成されている透明電極群との間に駆動回路基板２４から画像形成用の駆動信号が印加されると、上述の液晶３９が充填されている外側領域には演出画像が形成され、液晶が充填されていない透過部ＳＰＣは、駆動信号の印加の有無にかかわらず演出画像が形成されず常に透明の状態（非表示領域）となる。
【００５３】
透過領域５ｂの高い光透過率を確保するために、液晶パネル本体３０の透過部ＳＰＣが形成される部分に密着配置される偏光板４０ａ、４０ｂには、開口が形成されている。ただし、図６（ｂ）に示されるように、液晶パネル本体３０の注目すべき構造として、偏光板４０ａ、４０ｂの矩形状の開口縁４０ａａ、４０ｂｂは、透明ガラス基板３８ａ、３８ｂ内に液晶が充填されていない透過部ＳＰＣに若干進出しラップして配置され、すなわち、透過部ＳＰＣよりも偏光板４０ａ、４０ｂの開口の方が狭く形成されている。これにより、液晶パネル本体３０の製造過程において、透明ガラス基板３８ａ、３８ｂ内への液晶の充填領域、透明電極群の積層パターン、カラーフィルタの配置等の種々の条件で実際上決まる液晶パネル本体３０の表示領域ＤＳＰと、当該表示領域ＤＳＰを除く透過部（非表示領域）ＳＰＣに対して、偏光板４０ａ、４０ｂが多少ズレて配置されたとしても、設計上予め設けられている上述のラップ量よりもそのズレが小さければ、表示領域ＤＳＰの端部における画像途切れ等といった不具合を発生させないようにすることができる。
【００５４】
更に、液晶パネル本体３０における特徴的な構造として、図７（ａ）、図７（ｂ）に示されるように、中パネル板５ａ側（表示面側）の偏光板４０ａの表面において、上述した矩形状の透過部ＳＰＣと偏光板４０ａの開口縁とがラップする領域に、遮光性を有する例えば樹脂材料で一体的に成型した遮光部材５０が、接着剤等を介して貼り付けられている。すなわち、遮光部材５０は、偏光板４０ａの開口の周縁を覆う矩形枠状に形成され、その幅は上述した設計上のラップ量に相当している（実際には、成型品の製造寸法誤差を考慮し、設計上のラップ量よりも幅広に計画されることが望ましい）。
【００５５】
遮光部材５０が偏光板４０ａの開口周縁に設けられることで、液晶パネル本体３０の表示領域ＤＳＰと透過領域５ｂ（透過部ＳＰＣ）とが鮮明に区分けされるとともに、透過部ＳＰＣの縁部に偏光板４０ａ、４０ｂがラップすることによって生じる半透明な領域が視覚的に隠される。かかる構成により、回胴リール１７ａ、１７ｂ、１７ｃを目視させる透過領域５ｂを高い光透過率で形成することができると共に、表示領域ＤＳＰと透過領域５ｂとの境界を鮮明に区分けすることができる。したがって、特に高度な製造プロセスを要することなく、液晶表示パネルＬＣＤによる画像品質及び透過性能を共に良好にすることができ、スロットマシン１の視覚的な演出効果を高めることに貢献する。
【００５６】
なお、本発明に係る遮光手段は、成型品からなる遮光部材５０を偏光板４０ａの開口周縁に貼着するものに限定されない。例えば、他の手法として、透明で薄いフィルムシート（保護シートを兼ねるものでもよい）に矩形枠状の遮光領域を印刷し、偏光板４０ａの開口周縁である上述のラップ領域に当該遮光領域を位置合わせして、当該フィルムシートを偏光板４０ａに密着配置させるようにしたものでもよい。更に、スロットマシン１の前面パネル部５を構成する透明なアクリル板である中パネル板５ａにおいて、上記ラップ領域に対向して光を遮光する枠状の絵柄パターンを形成し、透過領域５ｂ周縁の半透明部分を視覚的に隠すように構成してもよい。
【００５７】
また、液晶表示パネルＬＣＤの背面側から透視させる役物としては、本実施形態で挙げた回胴リール装置１７等の遊技役物に限定されず、例えば遊技に登場するキャラクターを模したフィギュア（人形）等の遊技演出に関わる遊技役物を液晶表示パネルＬＣＤの背面側に配置した演出装置を備える遊技機にも適用することができる。
【００５８】
以上説明したように、本実施形態のスロットマシン１によれば、回胴リール１７ａ、１７ｂ、１７ｃを透視させる透過領域５ｂが形成された透過型の液晶表示パネルＬＣＤを備え、その非表示領域である透過部ＳＰＣの外縁部分に偏光板４０ａ、４０ｂの一部が進出するようにして設けた。これにより、製造過程における偏光板４０ａ、４０ｂの位置決め誤差を吸収し、表示領域ＤＳＰの端部における画像途切れ等といった不具合の発生を抑制することができる。
【００５９】
また、矩形枠状の遮光部材５０を偏光板４０ａの開口する周縁に設けることで、液晶表示パネルＬＣＤの透過部ＳＰＣと偏光板４０ａ、４０ｂとがラップする半透明な部分が遮光部材５０により視覚的に隠され、表示領域ＤＳＰと非表示領域（透過領域５ｂ）との境界を鮮明に区分けすることができる。
【００６０】
このように、液晶表示パネルＬＣＤの製造プロセスの高度化または品質管理を強化することなしに、簡素な構成で液晶表示パネルＬＣＤの画像品質及び透過性能等を良好にすることができ、これにより、スロットマシン１における視覚的な演出効果を高めることができる。
【産業上の利用可能性】
【００６１】
本発明は、スロットマシン等の回胴式遊技機だけでなく、透過型の液晶表示装置を遊技者側に面して配置し、液晶表示装置の背面側に他の遊技役物若しくは演出役物等を配置して透視させる構造を有する遊技機に用いて有用であり、特に、液晶表示装置により演出表示を行いつつ背面側の遊技役物等を視認可能とすることで効果的な演出を行う遊技機の実現に好適である。
【図面の簡単な説明】
【００６２】
【図１】図１は本発明の一実施形態によるスロットマシンの外観構造を表した斜視図である。
【図２】図２は図１に示すスロットマシンの前扉を開いて内部構造を表した図である。
【図３】図３は本発明の一実施形態によるスロットマシンに設けられる液晶パネルユニットの構造を表した分解斜視図である。
【図４】図４は図３に示す液晶パネルユニットを背面側から見た場合の構造を表した分解斜視図である。
【図５】図５は本発明の一実施形態による液晶パネルユニットに取り付けられている液晶表示パネルの構造を表した分解斜視図である。
【図６】図６は本発明の一実施形態によるスロットマシンに取り付けられた液晶表示パネルの縦断面構造と、液晶表示パネルに設けられている液晶パネル本体の構造とを模式的に表した断面図である。
【図７】図７は本発明の一実施形態による液晶表示パネルを構成する液晶パネル本体の正面図と、その表示面側から見た場合の斜視図である。
【符号の説明】
【００６３】
１…スロットマシン                    ２…筐体
３…前扉                              ４…操作パネル部
４ａ…ベットボタン                    ４ｂ…メダル投入部
４ｃ…スタートレバー                  ４ｄ…ストップボタン
５…前面パネル部                      ５ａ…中パネル板
５ｂ…透過領域                        ６…メダル受け皿
７…遊技状態表示部                    ８…表示パネルユニット
９…メダルセレクタ                    １０…フローシュート
１１…払出メダル案内部                １２ａ，１２ｂ…演出用スピーカ
１３…開口穴                          １４…陰極管
１５…インバータ回路基板              １６…サブ制御基板
１７…回胴リール装置                  １７ａ、１７ｂ、１７ｃ…回胴リール
１８…主制御基板                      １９…メダルホッパー
２０…オーバーフロータンク            ２１…電源装置
２２…支持フレーム                    ２３…収容室
２４…駆動回路基板                    ２５…支持枠
２５ａ、２５ｂ…係合突起              ２５ｃ…開口
２６ａ、２６ｂ…ブラケット            ２７…前フレーム
２８…後フレーム                      ２９…保護シート
３０…液晶パネル本体                  ３１…紫外線カットシート
３２…光拡散シート                    ３３…レンズシート
３４…光拡散シート                    ３５…導光板
３６、３７…反射シート                ３８ａ、３８ｂ…透明ガラス基板
３９…液晶                            ４０ａ、４０ｂ…偏光板
５０…遮光部材
ＤＳＰ…表示領域                      ＬＣＤ…液晶表示パネル
ＬＰ１、ＬＰ２…陰極管                ＳＰＣ…透過部
【図１】
2007014383.tif 000003
【図２】
2007014383.tif 000004
【図３】
2007014383.tif 000005
【図４】
2007014383.tif 000006
【図５】
2007014383.tif 000007
【図６】
2007014383.tif 000008
【図７】
2007014383.tif 000009